(57)【特許請求の範囲】
【請求項１】
発射された遊技球を円弧状レールに沿った飛翔軌跡に基づいて打込んで遊動させ得る遊技盤１の遊技域２内に、遊技者に特別な利益を与える可変入賞口３ｅと、特定入賞口３ａから入った入賞球が通過したときに権利が発生する権利発生領域３ｄと、権利発生中に遊技球が落入したときに前記可変入賞口３ｅを開放する権利行使口５ｂと、前記権利行使口５ｂの上方部位に配置された釘列２１，２２，２３，１７により構成される球流路と、前記権利発生および権利消失に対応する動きによって前記遊技域２内に打込まれた遊技球の落下経路を変更し得る球経路切換え機構７とを有するパチンコ機において、
前記球経路切換え機構７は、
前記遊技盤１の裏側に設置されて前記権利発生の有無条件に対応して切換え駆動制御されるモータ１４と、該モータ１４の出力軸１４ａに結合されたピニオン１５と噛合連繋状態で移動し得るラックギヤ１１と、該遊技盤１の前後方向に嵌挿状に固定されて一定幅の長孔状のガイド孔１２ａを貫通状に形成した支持部材１２と、該支持部材１２のガイド孔１２ａの前後方向に挿通されて軸回りの回動不能状態で支持されて、前記ラックギヤ１１と連結して前記遊技域２のレール面２０に沿った左右方向へ進退移動し得る伝動棒１０と、該伝動棒１０の前端に連結されて前記レール面２０の内周面側で前記権利行使口５ｂの上方に配設され、前記権利行使口５ｂへの遊技球の入賞を容易にする第１の状況と前記権利行使口５ｂへの遊技球の入賞を妨げる第２の状況とを前記権利発生および権利消失に対応する動きによって出現させる障害部材８とを備え、
前記障害部材８は、弾性体によりほぼ三角台状に形成されて、その下側面には、前記飛翔軌跡に基づいて遊技域２内に突入して該障害部材８に衝突した遊技球を、衝突時の入射的角度と反対になる反射的角度の向きに規則的なはね返し状態ではね返す球当て面９を、前記遊技域２の縦中央の上端を基準に見て先上りの鋭角で傾斜した平坦な傾斜面に形成して常に前記遊技域２内の下向きに傾斜した球当て姿勢に保持して、前記モータ１４の駆動制御により、前記ピニオン１５およびラックギヤ１１を介して前記伝動棒１０とともに前記遊技域２内の左右方向に移動可能とし、
かつ該障害部材８は、前記権利発生時には前記球当て面９を、遊技球が前記権利行使口５ｂに入賞し易い前記球流路を通って転落する前記第１の状況としての第１のはね返し位置２５に変位し、前記権利発生前および権利消失時には前記球当て面９を、遊技球が前記権利行使口５ｂを迂回する前記球流路を通って転落する前記第２の状況としての第２のはね返し位置２６に変位するように設定したことを特徴とするパチンコ機における球経路切換え機構。
【発明の詳細な説明】
【０００１】
【産業上の利用分野】
この発明は、パチンコ機において、遊技球が遊技域を転がり落ちるときの球経路を切換える球経路切換え機構に関する。
【０００２】
【従来の技術】
従来の技術としては例えば特開平６−２３３８５８号公報がある。この公報には外レールと内レールとによって囲まれた遊技部の上部に、あらかじめ定められた遊技条件が成立したとき、外レールの内側に沿って飛ぶ遊技球を特定の入賞口に向けて落下させる遊技球偏向手段を設けたパチンコ機が開示されている。
【０００３】
【発明が解決しようとする課題】
本発明は、遊技域での遊技球の球経路を有利な球経路と不利な球経路とに切換える切換え態様に関して新規な趣向を加えることを課題とするものである。
【０００４】
【課題を解決するための手段】
請求項１の発明は、発射された遊技球を円弧状レールに沿った飛翔軌跡に基づいて打込んで遊動させ得る遊技盤の遊技域内に、遊技者に特別な利益を与える可変入賞口と、特定入賞口から入った入賞球が通過したときに権利が発生する権利発生領域と、権利発生中に遊技球が落入したときに前記可変入賞口を開放する権利行使口と、前記権利行使口の上方部位に配置された釘列により構成される球流路と、前記権利発生および権利消失に対応する動きによって前記遊技域内に打込まれた遊技球の落下経路を変更し得る球経路切換え機構とを有するパチンコ機において、
前記球経路切換え機構は、
前記遊技盤の裏側に設置されて前記権利発生の有無条件に対応して切換え駆動制御されるモータと、該モータの出力軸に結合されたピニオンと噛合連繋状態で移動し得るラックギヤと、該遊技盤の前後方向に嵌挿状に固定されて一定幅の長孔状のガイド孔を貫通状に形成した支持部材と、該支持部材のガイド孔の前後方向に挿通されて軸回りの回動不能状態で支持されて、前記ラックギヤと連結して前記遊技域のレール面に沿った左右方向へ進退移動し得る伝動棒と、該伝動棒の前端に連結されて前記レール面の内周面側で前記権利行使口の上方に配設され、前記権利行使口への遊技球の入賞を容易にする第１の状況と前記権利行使口への遊技球の入賞を妨げる第２の状況とを前記権利発生および権利消失に対応する動きによって出現させる障害部材とを備え、
前記障害部材は、弾性体によりほぼ三角台状に形成されて、その下側面には、前記飛翔軌跡に基づいて遊技域内に突入して該障害部材に衝突した遊技球を、衝突時の入射的角度と反対になる反射的角度の向きに規則的なはね返し状態ではね返す球当て面を、前記遊技域の縦中央の上端を基準に見て先上りの鋭角で傾斜した平坦な傾斜面に形成して常に前記遊技域２内の下向きに傾斜した球当て姿勢に保持して、前記モータの駆動制御により、前記ピニオンおよびラックギヤを介して前記伝動棒とともに前記遊技域内の左右方向に移動可能とし、
かつ該障害部材は、前記権利発生時には前記球当て面を、遊技球が前記権利行使口に入賞し易い前記球流路を通って転落する前記第１の状況としての第１のはね返し位置に変位し、前記権利発生前および権利消失時には前記球当て面を、遊技球が前記権利行使口を迂回する前記球流路を通って転落する前記第２の状況としての第２のはね返し位置に変位するように設定した構成を有する。
【０００６】
【作用】
請求項１の発明では、入賞球が権利発生領域を通過して権利が発生すると、権利行使口への遊技球の落入を容易にする第１の状況が障害部材の動きによって出現し、権利が消失すると、権利行使口への遊技球の落入を妨げる第２の状況が障害部材の動きによって出現して遊技域での遊技球の球経路が切換えられる。
【０００７】
また、請求項１の発明では、障害部材の球当て面が遊技球を権利行使口へ誘導し易い第１のはね返し位置および遊技球の権利行使口へ誘導しにくい第２のはね返し位置に変位し、遊技球が球当て面に第１のはね返し位置若しくは第２のはね返し位置で衝突してそれぞれ規則的なはね返り状態ではね返される。
【０００８】
【発明の効果】
請求項１の発明によれば、権利発生時に権利行使口に入賞する確率を障害部材の動きによって容易に切換えることができ、権利行使口の周辺での釘調整によって権利行使口への入賞確率を変更する手数が不要となり、また、権利が発生していない状態で遊技球を権利行使口に向けて集中的に打ち込む狙い打ちを防止することができる。
【０００９】
また、請求項１の発明によれば、障害部材の球当て面を変位させるだけで、遊技球が権利行使口に入賞し易い状態と、遊技球が権利行使口に入賞しにくい状態とに的確に切換えることができ、球経路切換え機構を簡略化して球流路の切換えを簡易化することができるとともに、遊技球が球当て面に当ってはね返るはね返り状態を安定化させて遊技球のはね返り範囲を一定範囲内に制限することができ、遊技球が不規則にはね返って各方向へ拡散し、球経路の切換えが不確実となる不具合を解消することができる。
【００１０】
【実施例】
次に、本発明の第１実施例を図１〜図３にしたがって説明する。
パチンコ機の遊技盤１において、遊技盤面の遊技域２の中央部には開閉制御可能な特定入賞口３ａと、図柄を変動表示する図柄表示体３ｂと、特定入賞口３ａに入賞した入賞球を振り分ける回転体３ｃと、特定入賞口３ａに入賞した入賞球が通過したときに特別装置が作動して権利が発生する権利発生領域３ｄと、遊技者に特別な利益を与える状況を出現させる可変入賞口３ｅとを備えた可変入装置３が設置されている。
【００１１】
可変入賞装置３の下端部の両側方には遊技球が通過したときに図柄表示体３ｂによる図柄変動を開始させる左右１対のゲート４が設置されている。
【００１２】
可変入賞装置３の上部の右方にはパチンコ機の電源投入時に時計回りに回転駆動される回転体５ａと、特定入賞口３ａに落入した入賞球が権利発生領域３ｄを通過して権利発生中の状態で遊技球が落入したときに可変入賞口３ｅを開放して権利を行使させる権利行使口５ｂとを有する始動入賞装置５が設置されている。
【００１３】
始動入賞装置５の上方には１群の釘が円弧状に湾曲して左右対称状に配列され、上端の釘が権利行使口５ｂの直上の球通し口１８を隔てて対置された左右１対の第１釘列１６と、１群の釘がこの両第１釘列１６の上方で左方へ先下り状に傾斜して配列され、下端の釘が両第１釘列１６の上端の釘に球通し口１９を隔てて対置された第２釘列１７とが設置されている。
【００１４】
始動入賞装置５の上方で遊技域２を仕切る右上レール面２０の若干下方には１群の釘が上部では垂直状で下部では左方へ先下り状に傾斜して配列された第３釘列２１と、この第３釘列２１の下方に隣設され、１群の釘が左方へ先上り状に傾斜して配列された第４釘列２２と、１群の釘が第３釘列２１の左方に配列された第５釘列２３とが設置されている。
【００１５】
遊技域２に打込まれた遊技球がゲート４を通過して通過球が検出されると、図柄表示体３ｂが図柄の変動表示を開始し、図柄の変動表示開始後約６秒経過すると、図柄表示体３ｂが図柄の変動表示を停止して図柄を特定する。
【００１６】
図柄の変動表示停止時の特定図柄が１，３，５，７，９の何れかとなって当り図柄となった場合には特定入賞口３ａが約0.75秒間開放される。
【００１７】
遊技球が開放中の特定入賞口３ａに落入し、その入賞球が回転体３ｃ上へ転落してから権利発生領域３ｄを通過すると、特別装置が作動して権利が発生し、権利行使口５ｂへの入賞が有効となる。
【００１８】
権利発生中に遊技球が権利行使口５ｂに落入すると、可変入賞口３ｅが約１０秒間開放され、遊技者に特別な利益を与える状況が出現する。
【００１９】
権利発生中に遊技球が権利行使口５ｂに１６個落入した時点、若しくは、入賞球が権利発生領域３ｄを再度通過した時点で特別装置の作動が停止し、発生していた権利が消失する。
【００２０】
遊技域２の右上端部で始動入賞装置５の上方には権利行使口５ｂへの入賞を容易にする第１の状況と、権利行使口５ｂへの入賞を妨げる第２の状況とを権利発生および権利消失に対応する動きによって出現させる障害部材８を備え、遊技域２での遊技球の球経路を遊技者に有利な球経路と遊技者に不利な球経路とに切換える球経路切換え機構７が設置されている。
【００２１】
障害部材８は弾性体（ゴム）によってほぼ三角台状に形成された本体部８ａと、この本体部８ａが結合されたホルダ８ｂとを備え、本体部８ａの内側面には内方へ先上り状に傾斜した形状を有し、遊技域２の右上端部に打ち込まれて障害部材８に衝突した遊技球を規則的なはね返し状態ではね返す平坦な球当て面９が形成されている。
この球当て面９は図１および図２に具体的に示されるように、遊技域２の縦中央の上端を基準に見た場合、先上りの鋭角状に傾斜して遊技球の直径より広い（図２では２倍強）平坦な傾斜面を有し、常に遊技域２内の下向きに傾斜した球当て姿勢に保持されており、遊技域２内の右上端部に打ち込まれて球当て面９に衝突した遊技球を、衝突時の入射的角度と反対になる反射的角度の向きに規則的なはね返し状態ではね返すための球当て面とされている。
【００２２】
障害部材８は遊技域２のうち、前記第３釘列２１および右上レール面２０の近傍で権利行使口５ｂの上方に配設されている。
【００２３】
障害部材８のホルダ８ｂに結合された伝動棒１０は遊技盤１の裏側に設置されて右上レール面２０に沿って円弧状に湾曲したラックギヤ１１に連結されている。
【００２４】
障害部材８に対向して遊技盤１に取付けられた支持部材１２には右上レール面２０に沿って円弧状に湾曲した長孔状で伝動棒１０がスライド可能に挿通されたガイド孔１２ａが貫設され、障害部材８は支持部材１２および伝動棒１０によって斜め上内方および斜め下外方への円弧移動可能に支持されている。
なお、図２および３に具体的に例示するように、伝動棒１０は、軸方向に直交する断面が矩形の角杆状に形成されて、支持部材１２の一定幅を持つガイド孔１２ａに対して回止め状態、つまり軸回りの回動不能状態で前後方向に挿通支持されている。
【００２５】
遊技盤１に取付けられたブラケット１３には障害部材８を駆動して右上レール面２０に沿って進退動させるモータ１４が結合され、このモータ１４の出力軸１４ａにはラックギヤ１１と噛合ったピニオン１５が結合されている。
【００２６】
特定入賞口３ａに入賞した入賞球が権利発生領域３ｄを通過して権利が発生すると、権利発生領域３ｄへの入賞球の通過が検出された時点でモータ１４が一時的に駆動され、障害部材８は第３釘列２１の右方へ退避して球当て面９が権利行使口５ｂへの入賞を容易にする第１のはね返し位置２５に変位した状態で保持される。
【００２７】
第１のはね返し位置２５に変位した球当て面９に衝突した遊技球は第３釘列２１の右方ではね返されて権利行使口５ｂに至る球誘導流路への進入および権利行使口５ｂへの誘導が可能となった状態で第３釘列２１、第４釘列２２の右側の球流路および第２釘列１７の左側の球流路を通って転落し、球通し口１９，１８を通って権利行使口５ｂに落入する確率が高くなる。
【００２８】
障害部材８は権利消失状態となると、第３釘列２１の左方へ進出して球当て面９が権利行使口５ｂへの遊技球の落入を妨げる第２のはね返し位置２６に変位した状態で保持される。
【００２９】
第２のはね返し位置２６に変位した球当て面９に衝突した遊技球は第３釘列２１の左方ではね返されて第３釘列２１、第４釘列２２および左側の第１釘列１６の左側の球流路を通り、権利行使口５ｂを迂回する球流路を通って転落し、遊技球が権利行使口５ｂに入賞する確率が僅かとなる。
【００３０】
続いて、上記した構成を有する実施例の作用と効果を説明する。
本例では遊技者に特別な利益を与える可変入賞口３ｅと、入賞球が通過したときに権利が発生する権利発生領域３ｄと、権利発生中に遊技球が落入したときに可変入賞口３ｅを開放する権利行使口５ｂとを有するパチンコ機において、遊技盤１の遊技域２には権利行使口５ｂへの入賞を容易にする第１の状況と、権利行使口５ｂへの入賞を妨げる第２の状況とを権利発生および権利消失に対応する動きによって出現させる障害部材８を設置し、障害部材８にはこの障害部材８に衝突した遊技球を規則的なはね返し状態ではね返す平坦な球当て面９を形成してある。
【００３１】
このため、権利発生時に権利行使口５ｂに入賞する確率を障害部材８の動きによって容易かつ的確に切換えることができ、権利行使口５ｂの周辺での釘調整によって権利行使口５ｂへの入賞確率を変更する手数が不要となり、また、権利が発生していない状態で遊技球を権利行使口５ｂに向けて集中的に打ち込む狙い打ちを防止することができる。
【００３２】
また、障害部材８の球当て面９を変位させるだけで、遊技球が権利行使口５ｂに入賞し易い状態と、遊技球が権利行使口５ｂに入賞しにくい状態とに的確に切換えることができ、球経路切換え機構７を簡略化して球流路の切換えを簡易化することができるとともに、遊技球が球当て面９に当ってはね返るはね返り状態を安定化させて遊技球のはね返り範囲を一定範囲内に制限することができ、遊技球が不規則にはね返って各方向へ拡散し、球経路の切換えが不確実となる不具合を解消することができる。
【００３３】
次に、図４、図５に示す本発明の第２実施例の球経路切換え機構について説明すると、本例では、始動入賞装置５の権利発生口５ｂの上方には権利発生および権利消失に対応して遊技域２外および遊技域２内へ退避および進出して権利行使口５ｂへの遊技球の落入を容易にする第１の状況と、権利行使口５ｂへの遊技球の落入を妨げる第２の状況とを出現させる障害部材８Ａが設置されている。
【００３４】
障害部材８Ａは若干湾曲したほぼ平板状に形成されて水平状に設置され、この障害部材８Ａの上面には球当て面９Ａが形成されるとともに、障害部材８Ａの後端には後方へ延出されて支持部材３１によって前後方向へのスライド可能に支持された伝動棒３０が結合されている。
【００３５】
遊技盤１の裏面１ｂに固定されたソレノイド３２のプランジャ３２ａにはブラケット３３によって搖動可能に支持されて先端が伝動棒３０に結合されて搖動レバ３４が連結されている。
【００３６】
ソレノイド３２が消磁されてプランジャ３２ａが下方へ進動した状態では障害部材８Ａが遊技域２の後方へ退避して権利行使口５ｂの直上の球流路が開通される。
【００３７】
ソレノイド３２が励磁されてプランジャ３２ａが上方へ退動した状態では障害部材８Ａが権利行使口５ｂの直上で遊技域２内へ進出して権利行使口５ｂの直上の球流路が障害部材８Ａによって遮断され、遊技球が球通し口１８を通り抜けて権利行使口５ｂの直上へ転落しても、その遊技球は障害部材８Ａではね返されて権利行使口５ｂを迂回して転落する。
【００３８】
第２実施例によれば、権利行使口５ｂへの入賞が不能となる状況を出現させることができる。
【図面の簡単な説明】
【図１】本発明の第１実施例を示す遊技盤の要部の正面図である。
【図２】障害部材付近の正面図である。
【図３】図２のＸ１−Ｘ１線断面図である。
【図４】本発明の第２実施例を示す要部の正面図である。
【図５】図４のＸ２−Ｘ２線拡大断面図である。
【符号の説明】
１  遊技盤
２  遊技域
３  可変入賞装置
３ｄ  権利発生領域
３ｅ  可変入賞口
５  始動入賞装置
５ｂ  権利行使口
８，８Ａ  障害部材
９，９Ａ  球当て面
１４  モータ
２５  第１のはね返し位置
２６  第２のはね返し位置
【図１】
0004000408.tif 000002
【図２】
0004000408.tif 000003
【図３】
0004000408.tif 000004
【図４】
0004000408.tif 000005
【図５】
0004000408.tif 000006